(57)【要約】【課題】飲酒検査が行われていない状態が長時間継続している場合において電力消費を抑制する【解決手段】アルコール検知システムは、スマートフォン２（以下、スマホ２という）とアルコール検知器３（以下、検知器３という）を備える。検知器３は、被験者の呼気に含まれるアルコール濃度に応じた濃度信号を出力する。スマホ２は、少なくとも濃度信号を検知器３から有線で入力可能に構成されるとともに、管理装置４へアルコール濃度に関する情報を無線送信可能に構成される。スマホ２は、検知器３によりアルコール濃度を検知する検査処理を開始してから、アルコール濃度に関する情報の管理装置４への無線送信が完了するまでの間において、被験者が検査処理の再実行を指示することが可能であることを示す再実行指示画像が表示されてから、検査処理が再実行されない状態が予め設定された判定時間以上継続したときに、検知器３の電力消費を低減させる。【選択図】図１
2015216589.tif 000002
【特許請求の範囲】
【請求項１】
被験者の呼気に含まれるアルコール濃度に応じた濃度信号を出力するアルコール検知器と、
少なくとも前記濃度信号を前記アルコール検知器から有線または無線で入力可能に構成されるとともに、管理センタへ前記アルコール濃度に関する情報を無線送信可能に構成され、前記被験者によって携帯可能な通信機と、
を備えるアルコール検知システムであって、
前記アルコール検知器により前記アルコール濃度を検知するアルコール検知処理を開始してから、前記アルコール濃度に関する情報の前記管理センタへの無線送信が完了するまでの間において、前記被験者が前記アルコール検知処理の再実行を指示することが可能であることを示す再実行指示画像が、前記通信機に備えられた表示装置に表示されてから、前記アルコール検知処理が再実行されない状態が予め設定された判定時間以上継続したときに、前記アルコール検知器の電力消費を低減させる低減手段を備える
ことを特徴とするアルコール検知システム。
【請求項２】
前記アルコール検知器は、その内部に前記呼気を導入することにより、前記濃度信号を出力するように構成され、
前記通信機は、前記通信機の現在位置を示す位置情報を前記アルコール濃度に関する情報に付加して前記管理センタへ無線送信するように構成され、
前記アルコール検知器に対して前記被験者の呼気が適切に導入されないために、前記アルコール検知器が前記アルコール濃度を測定することができないことを第１表示条件とし、
前記通信機が、前記管理センタへ前記アルコール濃度に関する情報を無線送信するときに前記位置情報を取得できないことを第２表示条件とし、
前記アルコール濃度に関する情報の前記管理センタへの無線送信が失敗したことを第３表示条件として、
前記再実行指示画像は、前記第１表示条件、前記第２表示条件および前記第３表示条件の少なくとも１つが成立したときに表示される
ことを特徴とする請求項１に記載のアルコール検知システム。
【請求項３】
請求項１または請求項２に記載のアルコール検知システムと、
前記管理センタと、を更に備え、該管理センタにて、少なくとも前記被験者の前記呼気に含まれる前記アルコール濃度に関する情報を管理する
ことを特徴とする管理システム。
【請求項４】
コンピュータを、請求項１または請求項２に記載のアルコール検知システムの前記低減手段として機能させるためのプログラム。
【発明の詳細な説明】
【技術分野】
【０００１】
本発明は、呼気に含まれるアルコールの濃度を測定するアルコール検知システム、管理システムおよびプログラムに関する。
【背景技術】
【０００２】
運送会社の運送車両を運転して業務を行う運送業務従事者は、アルコール検知器による飲酒検査が義務付けられている。そして、運送業務従事者に割り当てられた携帯電話にアルコール検知器を接続することにより、アルコール検知器で検知したアルコール濃度を運送会社の管理者に送信することができるシステムが知られている（例えば、特許文献１を参照）。特許文献１に記載のシステムにより、運送会社から遠く離れた遠隔地に運送業務従事者がいる場合であっても、運送業務従事者に飲酒検査を行わせることが可能となる。
【先行技術文献】
【特許文献】
【０００３】
【特許文献１】特許第３８４７２９５号公報
【発明の概要】
【発明が解決しようとする課題】
【０００４】
しかし、例えば、被験者がアルコール検知器に向かって呼気を吹きかけることで飲酒検査を行う際に、呼気がアルコール検知器へ適切に導入されなかった場合には、再度、呼気を吹きかけることで、飲酒検査をやり直す必要がある。
【０００５】
このように飲酒検査をやり直す必要がある場合において、被験者が飲酒検査のやり直しを即時実行することなく放置することで、飲酒検査が行われていない状態であるのにもかかわらずアルコール検知器への通電が長時間継続されて、アルコール検知器が無駄に電力を消費してしまうという事態の発生が懸念される。
【０００６】
本発明は、こうした問題に鑑みてなされたものであり、飲酒検査が行われていない状態が長時間継続している場合において電力消費を抑制することができるアルコール検知システム、管理システムおよびプログラムを提供することを目的とする。
【課題を解決するための手段】
【０００７】
上記目的を達成するためになされた本発明は、アルコール検知器と、通信機とを備えるアルコール検知システムである。
アルコール検知器は、被験者の呼気に含まれるアルコール濃度に応じた濃度信号を出力する。通信機は、少なくとも濃度信号をアルコール検知器から有線または無線で入力可能に構成されるとともに、管理センタへアルコール濃度に関する情報を無線送信可能に構成され、被験者によって携帯可能である。
【０００８】
そしてアルコール検知システムは、アルコール検知器によりアルコール濃度を検知するアルコール検知処理を開始してから、アルコール濃度に関する情報の管理センタへの無線送信が完了するまでの間において、被験者がアルコール検知処理の再実行を指示することが可能であることを示す再実行指示画像が、通信機に備えられた表示装置に表示されてから、アルコール検知処理が再実行されない状態が予め設定された判定時間以上継続したときに、アルコール検知器の電力消費を低減させる低減手段を備える。
【０００９】
このように構成されたアルコール検知システムでは、アルコール検知器が出力したアルコール濃度に応じた濃度信号を通信機へ有線または無線で入力させることができると共に、通信機によりアルコール濃度に関する情報を管理センタへ無線送信することができる。このため、管理センタから遠く離れた遠隔地にいる被験者が酒気帯び状態であるか否かを、管理センタ側で判断することができる。
【００１０】
なお、本発明の「濃度信号」とは、アルコール濃度に応じた出力信号だけでなく、アルコール濃度自身をも含む。なお、前者の場合には、アルコール検知器にて測定した濃度信号を通信機に出力し、通信機内にてアルコール濃度を算出し、これを管理センタに送信している。他方、後者の場合には、アルコール検知器内でアルコール濃度を算出し、このアルコール濃度を、通信機を介して管理センタに送信している。
【００１１】
また、本発明の「アルコール濃度に関する情報」としては、アルコール濃度の濃度値のほか、アルコール濃度に基づいて被験者が飲酒したか否かを示す判定情報や、複数設定されたアルコール濃度範囲レベルのいずれのレベルに属するかの情報などが挙げられる。
【００１２】
そして、本発明のアルコール検知システムにおいては、低減手段が、再実行指示画像が表示されてから、アルコール検知処理が再実行されない状態が予め設定された判定時間以上継続したときに、アルコール検知器の電力消費を低減させる。
【００１３】
これにより、被験者がアルコール検知処理の再実行を指示するまでアルコール検知システムが待機しているためにアルコール検知処理が行われていない状態が長時間継続している場合において、アルコール検知器の電力消費を抑制することができる。また、アルコール検知処理が再実行されない状態が判定時間以上継続する前にアルコール検知処理を再実行する場合には、低減手段による電力消費の低減が実行されない。このため、アルコール検知処理を再実行するときに、アルコール検知器の電力消費が低減された状態から、電力消費が低減される前の状態に復帰させるための処理が不要となり、アルコール検知処理を再実行するまでの時間を必要最小限に抑制することができる。なお、アルコール検知器の電力消費を低減させる低減手段としては、アルコール検知器の電力供給を遮断（終了）する態様のほか、アルコール検知器の電力供給を時間の経過と共に階段状に低減させたり、ランプ状に低減させたりする態様などを挙げることができる。
【００１４】
また、本発明のアルコール検知システムにおいて、アルコール検知器および通信機が以下のように構成されている場合には、再実行指示画像は、以下の第１表示条件、第２表示条件および第３表示条件の少なくとも１つが成立したときに表示されるようにするとよい。なお、本発明のアルコール検知システムでは、アルコール検知器は、その内部に呼気を導入することにより、濃度信号を出力するように構成される。また通信機は、通信機の現在位置を示す位置情報をアルコール濃度に関する情報に付加して管理センタへ無線送信するように構成される。
【００１５】
そして第１表示条件は、アルコール検知器に対して被験者の呼気が適切に導入されないために、アルコール検知器がアルコール濃度を測定することができないことである。また第２表示条件は、通信機が、管理センタへアルコール濃度に関する情報を無線送信するときに、通信機の現在位置を示す位置情報を取得できないことである。また第３表示条件は、アルコール濃度に関する情報の管理センタへの無線送信が失敗したことである。
【００１６】
これにより、本発明のアルコール検知システムでは、上記の第１表示条件、第２表示条件および第３表示条件の少なくとも１つが成立することで再実行指示画像が表示され、被験者がアルコール検知処理の再実行を指示するまでアルコール検知システムを待機させることができる。そして、本発明のアルコール検知システムでは、再実行指示画像が表示されてアルコール検知システムが待機しているためにアルコール検知処理が行われていない状態が長時間継続している場合において、アルコール検知器の電力消費を低減させることで、アルコール検知器の電力消費を抑制することができる。
【００１７】
また本発明の管理システムでは、本発明のアルコール検知システムと、管理センタと、を更に備え、管理センサにて、少なくとも被験者の呼気に含まれるアルコール濃度に関する情報を管理するとよい。これにより、複数の通信機から無線送信されるアルコール濃度に関する情報を管理センタで取得することができ、それぞれ異なる遠隔地にいる複数の被験者が酒気帯び状態であるか否かを管理センタで一元管理することができる。
【００１８】
また本発明のプログラムは、コンピュータを本発明のアルコール検知システムの低減手段として機能させる。
本発明のプログラムによって制御されるコンピュータは、本発明のアルコール検知システムの一部を構成することができ、本発明のアルコール検知システムと同様の作用および効果を得ることができる。
【００１９】
本発明のプログラムは、コンピュータが読み取り可能な記録媒体に記憶させ、記憶させたプログラムをコンピュータに実行させることにより利用することができる。なお、記録媒体は、持ち運び可能なものであってもよいし、コンピュータに予め組み込まれたものであってもよい。また、本発明のプログラムは、ネットワークを介してコンピュータにロードされるものであってもよい。
【図面の簡単な説明】
【００２０】
【図１】管理システム１の概略構成を示す図である。
【図２】スマートフォン２とアルコール検知器３と管理装置４の構成を示すブロック図である。
【図３】管理情報取得処理を示すフローチャートである。
【図４】検査処理を示す第１のフローチャートである。
【図５】検査処理を示す第２のフローチャートである。
【図６】検査処理を示す第３のフローチャートである。
【図７】通電制御処理を示すフローチャートである。
【図８】スマートフォン２が表示する画像Ｇ０１，Ｇ０２，Ｇ０３を示す図である。
【図９】スマートフォン２が表示する画像Ｇ０４，Ｇ０５，Ｇ０６を示す図である。
【図１０】スマートフォン２が表示する画像Ｇ０７，Ｇ０６，Ｇ０８を示す図である。
【図１１】スマートフォン２が表示する画像Ｇ０９，Ｇ１０を示す図である。
【図１２】スマートフォン２が表示する画像Ｇ１１，Ｇ１２，Ｇ１３を示す図である。
【発明を実施するための形態】
【００２１】
以下に本発明の実施形態を図面とともに説明する。
本発明が適用された実施形態の管理システム１は、運送会社の運送車両を運転して業務を行う運送業務従事者についてその勤怠と運転の可否とを管理するために設けられ、図１に示すように、スマートフォン２と、アルコール検知器３と、管理装置４とを備える。
【００２２】
スマートフォン２は、携帯電話の通信網を介して音声通話およびデータ通信を行う機能を有する。また、スマートフォン２は、運送業務従事者毎に割り当てられており、運送業務従事中の運送業務従事者によって携帯される。
【００２３】
アルコール検知器３は、筐体１１に形成された呼気吹込口１２から呼気が導入される。筐体１１内には、呼気中のアルコール濃度に応じて出力が変化するアルコール検知素子３１（図２参照）が内蔵されている。また、アルコール検知器３は、運送車両毎あるいは運送業務従事者に割り当てられている。
【００２４】
管理装置４は、スマートフォン２から送信されるメールを受信することにより、運送業務従事者の出退勤を示す情報や運転業務従事者のアルコール濃度に関する情報を取得し、運送業務従事者毎に管理するための情報を作成する。
【００２５】
スマートフォン２は、図２に示すように、表示部２１と、操作入力部２２と、位置検出部２３と、撮影部２４と、通信部２５と、音声出力部２６と、振動発生部２７と、入出力部２８と、制御部２９とを備える。
【００２６】
表示部２１は、筐体１３（図１を参照）の前面に設置された表示装置１４（図１を参照）を備え、表示装置１４の表示画面に各種画像を表示する。
操作入力部２２は、表示装置１４の表示画面上に設置されたタッチパネルと、表示装置１４の表示画面の周囲に設置されたスイッチとを備える。そして操作入力部２２は、使用者がタッチパネルおよびスイッチを介して行った入力操作を特定するための入力操作情報を出力する。
【００２７】
位置検出部２３は、ＧＰＳ（Global Positioning System）受信機を備え、ＧＰＳ衛星から受信した信号に基づいて、スマートフォン２の位置を検出する。
撮影部２４は、筐体１３の前面に設置された前面カメラ１５（図１を参照）と、筐体１３の背面に設置された背面カメラ（不図示）とを備える。
【００２８】
通信部２５は、携帯電話の通信網を介して、管理装置４との間でデータ通信を行う。
音声出力部２６は、電話の着信音など各種音声を出力する。
振動発生部２７は、振動モータを備え、電話の着信時等に振動モータを駆動することにより、スマートフォン２の筐体１３を振動させる。
【００２９】
入出力部２８は、有線で接続された外部機器との間でデータの入出力を行う。
制御部２９は、操作入力部２２、位置検出部２３、撮影部２４、通信部２５および入出力部２８からの入力に基づいて各種処理を実行し、表示部２１、撮影部２４、通信部２５、音声出力部２６、振動発生部２７および入出力部２８を制御する。
【００３０】
アルコール検知器３は、アルコール検知素子３１と、ヒータ３２と、入出力部３３と、制御部３４とを備える。なお、アルコール検知器３は、スマートフォン２と有線で接続されており、スマートフォン２から電力供給を受け、アルコール検知素子３１、ヒータ３２、制御部３４等は通電駆動される。
【００３１】
アルコール検知素子３１は、金属酸化物半導体（例えば酸化スズ）を材料として形成された半導体素子を備える。この半導体素子は、周囲のアルコール濃度に応じて電気抵抗値が変動し、これによりアルコール検知素子３１は、アルコール濃度に応じた出力信号を出力することができる。
【００３２】
ヒータ３２は、アルコール濃度に応じた出力信号を出力可能な動作温度までアルコール検知素子３１を加熱する。
入出力部３３は、有線で接続された外部機器（スマートフォン２）との間でデータの入出力を行う。
【００３３】
制御部３４は、アルコール検知素子３１および入出力部３３からの入力に基づいて各種処理を実行し、アルコール検知素子３１、ヒータ３２および入出力部３３を制御する。
管理装置４は、表示部４１と、操作入力部４２と、データ記憶部４３と、通信部４４と、制御部４５とを備える。
【００３４】
表示部４１は、表示装置１６（図１を参照）を備え、表示装置１６の表示画面に各種画像を表示する。
操作入力部４２は、キーボード１７（図１を参照）とマウス１８（図１を参照）を備える。そして操作入力部４２は、使用者がキーボード１７とマウス１８を介して行った入力操作を特定するための入力操作情報を出力する。
【００３５】
データ記憶部４３は、各種データを記憶するための記憶装置である。
通信部４４は、携帯電話の通信網を介して、スマートフォン２との間でデータ通信を行う。
【００３６】
制御部４５は、操作入力部４２および通信部４４からの入力に基づいて各種処理を実行し、表示部４１、データ記憶部４３および通信部４４を制御する。
このように構成された管理システム１において、スマートフォン２の制御部２９は、管理装置４にて運送業務従事者を管理するための情報を取得する管理情報取得処理と、アルコール検知素子３１とヒータ３２への通電を制御する通電制御処理を実行する。
【００３７】
まず、管理情報取得処理の手順を説明する。この管理情報取得処理は、管理情報取得処理を実行するために予め設けられたアプリケーションプログラムを使用者の入力操作により起動することで実行される。
【００３８】
この管理情報取得処理が実行されると、制御部２９は、図３に示すように、まずＳ１０にて、表示装置１４に個人ＩＤ入力画像Ｇ０１（図８（ａ）を参照）を表示させる。個人ＩＤ入力画像Ｇ０１は、スマートフォン２を操作している運転業務従事者の個人ＩＤを入力するための個人ＩＤ入力テキストボックスＤ１１と、ログインボタンＤ１２と、終了ボタンＤ１３とを含む。
【００３９】
そしてＳ２０にて、個人ＩＤ入力画像Ｇ０１に対する入力操作が行われたか否かを判断する。ここで、入力操作が行われていない場合には（Ｓ２０：ＮＯ）、Ｓ２０の処理を繰り返すことにより、個人ＩＤ入力画像Ｇ０１に対する入力操作が行われるまで待機する。そして、入力操作が行われると（Ｓ２０：ＹＥＳ）、Ｓ３０にて、個人ＩＤ入力テキストボックスＤ１１に個人ＩＤが入力されたか否かを判断する。ここで、個人ＩＤが入力されていない場合には（Ｓ３０：ＮＯ）、終了ボタンＤ１３が操作されたと判断し、管理情報取得処理を終了する。一方、個人ＩＤが入力されると（Ｓ３０：ＹＥＳ）、Ｓ４０にて、表示装置１４にメニュー画像Ｇ０２（図８（ｂ）を参照）を表示させる。メニュー画像Ｇ０２は、出勤ボタンＤ２１、退勤ボタンＤ２２、検査ボタンＤ２３、疲労度チェックボタンＤ２４、管理設定ボタンＤ２５およびログアウトボタンＤ２６を含む。
【００４０】
そしてＳ５０にて、メニュー画像Ｇ０２に対する入力操作が行われたか否かを判断する。ここで、入力操作が行われていない場合には（Ｓ５０：ＮＯ）、Ｓ５０の処理を繰り返すことにより、メニュー画像Ｇ０２に対する入力操作が行われるまで待機する。そして、入力操作が行われると（Ｓ５０：ＹＥＳ）、Ｓ６０にて、出勤ボタンＤ２１が操作されたか否かを判断する。ここで、出勤ボタンＤ２１が操作された場合には（Ｓ６０：ＹＥＳ）、Ｓ７０にて、出勤確認処理を実行する。具体的には、まず、スマートフォン２を操作している運転業務従事者（以下、操作者ともいう）に対して自身の顔を前面カメラ１５で撮影するように指示する指示画像と、前面カメラ１５による現時点の撮影画像とを表示する。その後、操作者が、スマートフォン２の表示画面に表示されている撮影画像を確認しながら操作入力部２２のスイッチを操作する。これによりスマートフォン２は、スイッチが操作された時点で前面カメラ１５が撮影した画像データを取得する。その後にスマートフォン２は、撮影された顔画像と、操作者の個人ＩＤと、撮影が行われた時刻と、撮影が行われた場所を示す位置とが含まれた出勤確認情報を作成し、この出勤確認情報を電子メールで管理装置４へ送信する。そして、出勤確認情報の送信が完了すると、出勤確認処理を終了して、Ｓ４０に移行する。
【００４１】
一方、出勤ボタンＤ２１が操作されていない場合には（Ｓ６０：ＮＯ）、Ｓ８０にて、退勤ボタンＤ２２が操作されたか否かを判断する。ここで、退勤ボタンＤ２２が操作された場合には（Ｓ８０：ＹＥＳ）、Ｓ９０にて、退勤確認処理を実行する。具体的には、Ｓ７０の出勤確認処理と同様に、前面カメラ１５で操作者の顔を撮影し、撮影された顔画像と、操作者の個人ＩＤと、撮影が行われた時刻と、撮影が行われた場所を示す位置とが含まれた退勤確認情報を電子メールで管理装置４へ送信する。そして、退勤確認情報の送信が完了すると、退勤確認処理を終了して、Ｓ４０に移行する。
【００４２】
一方、退勤ボタンＤ２２が操作されていない場合には（Ｓ８０：ＮＯ）、Ｓ１００にて、疲労度チェックボタンＤ２４が操作されたか否かを判断する。ここで、疲労度チェックボタンＤ２４が操作された場合には（Ｓ１００：ＹＥＳ）、Ｓ１１０にて、疲労度確認処理を実行する。疲労度確認処理では、ゲーム等により、操作者の疲労度を測定する。そして、操作者の疲労度を測定した後、疲労度確認処理を終了して、Ｓ４０に移行する。
【００４３】
一方、疲労度チェックボタンＤ２４が操作されていない場合には（Ｓ１００：ＮＯ）、Ｓ１２０にて、管理設定ボタンＤ２５が操作されたか否かを判断する。ここで、管理設定ボタンＤ２５が操作された場合には（Ｓ１２０：ＹＥＳ）、Ｓ１３０にて、管理設定処理を実行する。具体的には、操作者のメールアドレスやメールアカウントの入力、管理装置４へのメール設定、後述の通電終了判定値（Ｓ８８０を参照）の設定等を行う。そして、この入力や設定等が終了すると、管理設定処理を終了して、Ｓ４０に移行する。
【００４４】
一方、管理設定ボタンＤ２５が操作されていない場合には（Ｓ１２０：ＮＯ）、Ｓ１４０にて、検査ボタンＤ２３が操作されたか否かを判断する。ここで、検査ボタンＤ２３が操作された場合には（Ｓ１４０：ＹＥＳ）、Ｓ１５０にて、検査処理を実行する。一方、検査ボタンＤ２３が操作されていない場合には（Ｓ１４０：ＮＯ）、ログアウトボタンＤ２６が操作されたと判断し、管理情報取得処理を終了する。
【００４５】
次に、Ｓ１５０で実行される検査処理の手順を説明する。
検査処理が実行されると、制御部２９は、図４、図５および図６に示すように、まずＳ２１０にて、表示装置１４に飲酒検査画像Ｇ０３（図８（ｃ）を参照）を表示させる。飲酒検査画像Ｇ０３は、「飲酒検査をします。アルコール検知器を接続して下さい。」と記載された指示画像Ｄ３１と、開始ボタンＤ３２と、メニューボタンＤ３３とを含む。
【００４６】
そしてＳ２２０にて、アルコール検知器３がスマートフォン２に接続されたか否かを判断する。ここで、アルコール検知器３がスマートフォン２に接続されていない場合には（Ｓ２２０：ＮＯ）、Ｓ２２０の処理を繰り返すことにより、アルコール検知器３がスマートフォン２に接続されるまで待機する。そして、アルコール検知器３がスマートフォン２に接続されると（Ｓ２２０：ＹＥＳ）、Ｓ２３０にて、アルコール検知素子３１とヒータ３２への通電を指示する信号を、入出力部２８を介してアルコール検知器３へ出力する。これにより、アルコール検知器３の制御部３４は、アルコール検知素子３１とヒータ３２への通電を行っていない場合に、アルコール検知素子３１とヒータ３２への通電を開始する。
【００４７】
次に、Ｓ２４０にて、酒気帯びフラグをリセットする。その後、Ｓ２５０にて、開始ボタンＤ３２が操作されたか否かを判断する。ここで、開始ボタンＤ３２が操作された場合には（Ｓ２５０：ＹＥＳ）、Ｓ２８０に移行する。一方、開始ボタンＤ３２が操作されてない場合には（Ｓ２５０：ＮＯ）、Ｓ２６０にて、メニューボタンＤ３３が操作されたか否かを判断する。ここで、メニューボタンＤ３３が操作された場合には（Ｓ２６０：ＹＥＳ）、Ｓ２７０にて、アルコール検知素子３１とヒータ３２への通電終了を指示する信号を入出力部２８を介してアルコール検知器３へ出力して、Ｓ４０に移行する。これにより、アルコール検知器３の制御部３４は、アルコール検知素子３１とヒータ３２への通電を行っている場合に、アルコール検知素子３１とヒータ３２への通電を終了する。
【００４８】
一方、メニューボタンＤ３３が操作されていない場合には（Ｓ２６０：ＮＯ）、Ｓ２５０およびＳ２６０の処理を繰り返すことにより、開始ボタンＤ３２またはメニューボタンＤ３３が操作されるまで待機する。
【００４９】
そしてＳ２８０に移行すると、表示装置１４に注意喚起画像Ｇ０４（図９（ａ）を参照）を２秒間表示させる。注意喚起画像Ｇ０４は、アルコール検査を行う際の注意事項を示す画像である。
【００５０】
注意喚起画像Ｇ０４の表示が終了すると、Ｓ２９０にて、アルコール検知器３のウォームアップが完了して検査が開始されるまでの残り時間（以下、準備残時間という）が４秒以下であるか否かを判断する。なお、アルコール検知器３の制御部３４は、上記準備残時間を示す残時間信号がある場合に出力する。そして制御部２９は、この残時間信号が示す準備残時間に基づいてＳ２９０の処理を行う。
【００５１】
ここで、準備残時間が４秒を超えている場合には（Ｓ２９０：ＮＯ）、Ｓ２９０の処理を繰り返すことにより、準備残時間が４秒以下になるまで待機する。
一方、準備残時間が４秒以下である場合には（Ｓ２９０：ＹＥＳ）、Ｓ３００にて、表示装置１４に撮影位置調整画像Ｇ０５（図９（ｂ）を参照）を表示させる。撮影位置調整画像Ｇ０５は、「顔とアルコール検知器を枠内に入れて下さい。」と記載された指示画像Ｄ５１と、準備残時間を示す準備残時間画像Ｄ５２と、前面カメラ１５により撮影された現時点の画像を示す撮影画像Ｄ５３とを含む。なお、図９（ｂ）において、ハッチングを用いて示した範囲は、アルコール検知器３を枠内に設定する範囲を示す。
【００５２】
その後Ｓ３１０にて、準備残時間が０秒になったか否かを判断する。ここで、準備残時間が０秒になっていない場合には（Ｓ３１０：ＮＯ）、Ｓ３００に移行する。一方、準備残時間が０秒になった場合には（Ｓ３１０：ＹＥＳ）、Ｓ３２０にて、表示装置１４に検査画像Ｇ０６（図９（ｃ）を参照）を表示させる。検査画像Ｇ０６は、「検査を開始します。」と記載された指示画像Ｄ６１と、前面カメラ１５により撮影された現時点の画像を示す撮影画像Ｄ６２とを含む。
【００５３】
そしてＳ３３０にて、アルコール検知器３から呼気検知信号が入力したか否かを判断する。なお呼気検知信号は、アルコール検知器３に対し呼気の導入条件が予め設定された特定条件を満たした（例えば、アルコール検知器３の出力信号が所定の出力信号を超えた）ことをアルコール検知器３が検知した場合に制御部３４が入出力部３３を介して出力する信号である。
【００５４】
ここで、呼気検知信号が入力していない場合には（Ｓ３３０：ＮＯ）、Ｓ３４０にて、アルコール検知器３からタイムアウト信号が入力したか否かを判断する。なおタイムアウト信号は、アルコール検査の開始からあらかじめ設定されたタイムアウト時間が経過した場合に制御部３４が入出力部３３を介して出力する信号である。
【００５５】
ここで、タイムアウト信号が入力していない場合には（Ｓ３４０：ＮＯ）、Ｓ３３０に移行する。一方、タイムアウト信号が入力した場合には（Ｓ３４０：ＹＥＳ）、Ｓ３５０にて、表示装置１４にやり直し画像Ｇ０７（図１０（ａ）を参照）を表示させる。やり直し画像Ｇ０７は、「呼気を確認できませんでした。やりなおして下さい。」と記載された指示画像Ｄ７１と、やり直しボタンＤ７２と、キャンセルボタンＤ７３とを含む。
【００５６】
そしてＳ３６０にて、やり直し画像Ｇ０７に対する入力操作が行われたか否かを判断する。ここで、入力操作が行われていない場合には（Ｓ３６０：ＮＯ）、Ｓ３６０の処理を繰り返すことにより、やり直し画像Ｇ０７に対する入力操作が行われるまで待機する。そして、入力操作が行われると（Ｓ３６０：ＹＥＳ）、Ｓ３７０にて、やり直しボタンＤ７２が操作されたか否かを判断する。ここで、やり直しボタンＤ７２が操作された場合には（Ｓ３７０：ＹＥＳ）、Ｓ２１０に移行する。一方、やり直しボタンＤ７２が操作されていない場合には（Ｓ３７０：ＮＯ）、キャンセルボタンＤ７３が操作されたと判断し、Ｓ３８０にて、アルコール検知素子３１とヒータ３２への通電終了を指示する信号を、入出力部２８を介してアルコール検知器３へ出力して、Ｓ４０に移行する。これにより、アルコール検知器３の制御部３４は、アルコール検知素子３１とヒータ３２への通電を終了する。
【００５７】
またＳ３３０にて、アルコール検知器３から呼気検知信号が入力した場合には（Ｓ３３０：ＹＥＳ）、Ｓ３９０にて、スマートフォン２がマナーモードに設定されているか否かを判断する。ここで、マナーモードに設定されていない場合には（Ｓ３９０：ＮＯ）、Ｓ４００にて、スマートフォン２の音出力が可能であるか否かを判断する。ここで、スマートフォン２の音出力可能な場合には（Ｓ４００：ＹＥＳ）、Ｓ４１０にて、呼気が導入したことを報知するために予め設定された報知音を音声出力部２６に出力させる。さらにＳ４２０にて、表示装置１４に、検査画像Ｇ０６において呼気導入画像Ｄ６３（図１０（ｂ）を参照）を追加して表示させる。他方、Ｓ４００にて、スマートフォン２の音出力が禁止されている場合には（Ｓ４００：ＮＯ）、Ｓ４２０にて、表示装置１４に、検査画像Ｇ０６において呼気導入画像Ｄ６３（図１０（ｂ）を参照）を表示させる。
【００５８】
そしてＳ４３０にて、呼気導入画像Ｄ６３が表示されてから予め設定された報知時間（例えば２秒）が経過したか否かを判断する。ここで、報知時間が経過していない場合には（Ｓ４３０：ＮＯ）、Ｓ４３０の処理を繰り返すことにより、報知時間が経過するまで待機する。一方、報知時間が経過すると（Ｓ４３０：ＹＥＳ）、Ｓ４４０にて、音声出力部２６に報知音の出力を停止させる。さらにＳ４５０にて、表示装置１４に、検査画像Ｇ０６の呼気導入画像Ｄ６３を消去させて、Ｓ５１０に移行する。
【００５９】
またＳ３９０にて、マナーモードに設定されている場合には（Ｓ３９０：ＹＥＳ）、Ｓ４６０にて、振動発生部２７にてスマートフォン２を振動させる。さらにＳ４７０にて、表示装置１４に、検査画像Ｇ０６において呼気導入画像Ｄ６３（図１０（ｂ）を参照）を追加して表示させる。
【００６０】
そしてＳ４８０にて、呼気導入画像Ｄ６３が表示されてから上記報知時間が経過したか否かを判断する。ここで、報知時間が経過していない場合には（Ｓ４８０：ＮＯ）、Ｓ４８０の処理を繰り返すことにより、報知時間が経過するまで待機する。一方、報知時間が経過すると（Ｓ４８０：ＹＥＳ）、Ｓ４９０にて、振動発生部２７にスマートフォン２の振動を停止させる。さらにＳ５００にて、表示装置１４に、検査画像Ｇ０６の呼気導入画像Ｄ６３を消去させて、Ｓ５１０に移行する。
【００６１】
そしてＳ５１０に移行すると、アルコール検知器３からスマートフォン２に、アルコール濃度に応じた濃度信号が入力したか否かを判断する。なお、本実施形態では、アルコール検知器３の制御部３４は、アルコール検知素子３１が検出した出力信号に基づいてアルコール濃度（濃度信号）を算出し、算出したアルコール濃度を入出力部３３を介して出力する。
【００６２】
ここで、濃度信号が入力していない場合には（Ｓ５１０：ＮＯ）、Ｓ５１０の処理を繰り返すことにより、濃度信号が入力するまで待機する。そして、濃度信号が入力すると（Ｓ５１０：ＹＥＳ）、Ｓ５２０にて、撮影部２４に前面カメラ１５による撮影を実行させ、前面カメラ１５が撮影した画像データを取得する。さらにＳ５３０にて、位置検出部２３から最新の位置情報を取得する。
【００６３】
そしてＳ５４０にて、位置検出部２３からの位置情報の取得が成功したか否かを判断する。具体的には、最新の位置情報が現時点から５分前までに取得されたものである場合には、位置情報の取得が成功したと判断し、５分以上前に取得されたものである場合には、位置情報の取得が失敗したと判断する。
【００６４】
ここで、位置情報の取得が失敗したと判断した場合には（Ｓ５４０：ＮＯ）、Ｓ５５０にて、表示装置１４に位置情報エラー画像Ｇ０８（図１０（ｃ）を参照）を表示させる。位置情報エラー画像Ｇ０８は、「位置情報を取得できませんでした。もう一度やりなおすか、管理者に連絡して下さい。」と記載された指示画像Ｄ８１と、ＯＫボタンＤ８２とを含む。
【００６５】
そしてＳ５６０にて、位置情報エラー画像Ｇ０８に対する入力操作が行われたか否かを判断する。ここで、入力操作が行われていない場合には（Ｓ５６０：ＮＯ）、Ｓ５６０の処理を繰り返すことにより、位置情報エラー画像Ｇ０８に対する入力操作が行われるまで待機する。そして、入力操作が行われると（Ｓ５６０：ＹＥＳ）、ＯＫボタンＤ８２が操作されたと判断し、Ｓ４０に移行する。
【００６６】
またＳ５４０にて、位置情報の取得が成功したと判断した場合には（Ｓ５４０：ＹＥＳ）、Ｓ５７０にて、送信情報を作成する。送信情報は、撮影画像データと、酒気帯びの有無を示す酒気帯び情報と、個人ＩＤと、検査時刻と、検査場所と、アルコール濃度と、スマートフォン２の端末ＩＤと、アルコール検知器３の検知器ＩＤとを含む。
【００６７】
次に、Ｓ５８０にて、上記酒気帯び情報に基づいて、酒気帯びを検知したか否かを判断する。ここで、酒気帯びを検知していない場合には（Ｓ５８０：ＮＯ）、Ｓ６００にて、表示装置１４に、送信内容確認画像Ｇ０９（図１１（ａ）を参照）を２秒間表示させ、Ｓ６１０に移行する。送信内容確認画像Ｇ０９は、送信情報の内容を操作者に確認させるための画像であり、酒気帯びを検知していないときの画像である。
【００６８】
また、Ｓ５８０にて、酒気帯びを検知した場合には（Ｓ５８０：ＹＥＳ）、Ｓ５９０にて、酒気帯びフラグをセットし、Ｓ６００にて、表示装置１４に、送信内容確認画像Ｇ１０（図１１（ｂ）を参照）を２秒間表示させ、Ｓ６１０に移行する。送信内容確認画像Ｇ１０は、送信情報の内容を操作者に確認させるための画像であり、酒気帯びを検知したときの画像である。
【００６９】
その後Ｓ６１０にて、通信部２５に、送信情報を電子メールにて管理装置４へ送信させる。そしてＳ６２０にて、送信情報の送信が成功したか否かを判断する。ここで、送信情報の送信が失敗した場合には（Ｓ６２０：ＮＯ）、Ｓ６３０にて、表示装置１４に送信失敗画像Ｇ１１（図１２（ａ）を参照）を表示させる。送信失敗画像Ｇ１１は、「電波の良い場所から再送信して下さい。再送信でエラーが発生する場合は管理者にお問い合わせ下さい。」と記載された指示画像Ｄ１１１と、再送信ボタンＤ１１２と、キャンセルボタンＤ１１３とを含む。
【００７０】
そしてＳ６４０にて、送信失敗画像Ｇ１１に対する入力操作が行われたか否かを判断する。ここで、入力操作が行われていない場合には（Ｓ６４０：ＮＯ）、Ｓ６４０の処理を繰り返すことにより、送信失敗画像Ｇ１１に対する入力操作が行われるまで待機する。そして、入力操作が行われると（Ｓ６４０：ＹＥＳ）、Ｓ６５０にて、再送信ボタンＤ１１２が操作されたか否かを判断する。
【００７１】
ここで、再送信ボタンＤ１１２が操作された場合には（Ｓ６５０：ＹＥＳ）、Ｓ６１０に移行する。一方、再送信ボタンＤ１１２が操作されていない場合には（Ｓ６５０：ＮＯ）、キャンセルボタンＤ１１３が操作されたと判断し、Ｓ４０に移行する。
【００７２】
またＳ６２０にて、送信情報の送信が成功した場合には（Ｓ６２０：ＹＥＳ）、Ｓ６６０にて、表示装置１４に、送信完了画像Ｇ１２（図１２（ｂ）を参照）または送信完了画像Ｇ１３（図１２（ｃ）を参照）を表示させる。送信完了画像Ｇ１２は、酒気帯びフラグがセットされていない場合に表示され、「管理装置への送信に成功しました。不要であればアルコール検知器を外して下さい。」と記載された指示画像Ｄ１２１と、検査者変更ボタンＤ１２２と、メニューボタンＤ１２３とを含む。また送信完了画像Ｇ１３は、酒気帯びフラグがセットされている場合に表示され、「管理装置への送信に成功しました。不要であればアルコール検知器を外して下さい。」と記載された指示画像Ｄ１３１と、検査者変更ボタンＤ１３２と、やり直しボタンＤ１３３と、メニューボタンＤ１３４とを含む。
【００７３】
そしてＳ６７０にて、送信完了画像Ｇ１２，Ｇ１３に対する入力操作が行われたか否かを判断する。ここで、入力操作が行われていない場合には（Ｓ６７０：ＮＯ）、Ｓ６７０の処理を繰り返すことにより、送信完了画像Ｇ１２，Ｇ１３に対する入力操作が行われるまで待機する。そして、入力操作が行われると（Ｓ６７０：ＹＥＳ）、Ｓ６８０にて、メニューボタンＤ１２３，Ｄ１３４が操作されたか否かを判断する。
【００７４】
ここで、メニューボタンＤ１２３，Ｄ１３４が操作された場合には（Ｓ６８０：ＹＥＳ）、Ｓ６９０にて、アルコール検知素子３１とヒータ３２への通電終了を指示する信号を入出力部２８を介してアルコール検知器３へ出力して、Ｓ４０に移行する。これにより、アルコール検知器３の制御部３４は、アルコール検知素子３１とヒータ３２への通電を終了する。
【００７５】
一方、メニューボタンＤ１２３，Ｄ１３４が操作されていない場合には（Ｓ６８０：ＮＯ）、Ｓ７００にて、酒気帯びフラグがセットされているか否かを判断する。ここで、酒気帯びフラグがセットされていない場合には（Ｓ７００：ＮＯ）、検査者変更ボタンＤ１２２が操作されたと判断し、Ｓ１０に移行する。
【００７６】
一方、酒気帯びフラグがセットされている場合には（Ｓ７００：ＹＥＳ）、Ｓ７１０にて、やり直しボタンＤ１３３（図１２（ｃ）を参照）が操作されたか否かを判断する。ここで、やり直しボタンＤ１３３が操作された場合には（Ｓ７１０：ＹＥＳ）、Ｓ２１０に移行する。
【００７７】
一方、やり直しボタンＤ１３３が操作されていない場合には（Ｓ７１０：ＮＯ）、検査者変更ボタンＤ１３２が操作されたと判断し、Ｓ１０に移行する。
次に、通電制御処理の手順を説明する。通電制御処理は、管理情報取得処理の実行中に繰り返し実行される処理である。
【００７８】
この通電制御処理が実行されると、制御部２９は、図７に示すように、まずＳ８１０にて、やり直し画像Ｇ０７、位置情報エラー画像Ｇ０８および送信失敗画像Ｇ１１の何れか１つの表示が開始されたか否かを判断する。
【００７９】
ここで、画像Ｇ０７，Ｇ０８，Ｇ１１の表示が開始されていない場合には（Ｓ８１０：ＮＯ）、Ｓ８４０に移行する。一方、画像Ｇ０７，Ｇ０８，Ｇ１１の表示が開始された場合には（Ｓ８１０：ＹＥＳ）、Ｓ８２０にて、通電判定タイマのインクリメントを開始する。この通電判定タイマは、例えば１００ｍｓ毎にインクリメントするタイマであり、インクリメントが開始されると、その値が０からインクリメントする。
【００８０】
その後Ｓ８３０にて、待機フラグをセットして、Ｓ８４０に移行する。
そしてＳ８４０に移行すると、待機フラグがセットされているか否かを判断する。ここで、待機フラグがセットされていない場合には（Ｓ８４０：ＮＯ）、通電制御処理を一旦終了する。一方、待機フラグがセットされている場合には（Ｓ８４０：ＹＥＳ）、Ｓ８５０にて、飲酒検査画像Ｇ０３の開始ボタンＤ３２が操作されたか否かを判断する。
【００８１】
ここで、開始ボタンＤ３２が操作されていない場合には（Ｓ８５０：ＮＯ）、Ｓ８８０に移行する。一方、検査ボタンＤ２３が操作された場合には（Ｓ８５０：ＹＥＳ）、Ｓ８６０にて、通電判定タイマのインクリメントを中止する。その後Ｓ８７０にて、待機フラグをリセットして、Ｓ８８０に移行する。
【００８２】
そしてＳ８８０に移行すると、通電判定タイマの値が予め設定された通電終了判定値（本実施形態では例えば１２０秒に相当する値）以上であるか否かを判断する。ここで、通電判定タイマの値が通電終了判定値未満である場合には（Ｓ８８０：ＮＯ）、通電制御処理を一旦終了する。
【００８３】
一方、通電判定タイマの値が通電終了判定値以上である場合には（Ｓ８８０：ＹＥＳ）、Ｓ８９０にて、アルコール検知素子３１とヒータ３２への通電終了を指示する信号を入出力部２８を介してアルコール検知器３へ出力する。これにより、アルコール検知器３の制御部３４は、アルコール検知素子３１とヒータ３２への通電を行っている場合に、アルコール検知素子３１とヒータ３２への通電を終了する。
【００８４】
そしてＳ９００にて、待機フラグをリセットし、通電制御処理を一旦終了する。
このように構成されたアルコール検知システムは、スマートフォン２と、アルコール検知器３とを備える。
【００８５】
アルコール検知器３は、運送業務従事者の呼気に含まれるアルコール濃度に応じた濃度信号を出力する。スマートフォン２は、少なくとも濃度信号をアルコール検知器３から有線で入力可能に構成されるとともに、管理装置４へアルコール濃度に関する情報を無線送信可能に構成され、運送業務従事者によって携帯可能である。
【００８６】
そしてスマートフォン２は、アルコール検知器３によりアルコール濃度を検知する検査処理を開始してから、アルコール濃度に関する情報の管理装置４への無線送信が完了するまでの間において、被験者が検査処理の再実行を指示することが可能であることを示すやり直し画像Ｇ０７、位置情報エラー画像Ｇ０８および送信失敗画像Ｇ１１が、スマートフォン２に備えられた表示装置１４に表示されてから、検査処理が再実行されない状態が予め設定された通電終了判定値に相当する時間（本実施形態では例えば１２０秒）以上継続したときに、アルコール検知器３の電力消費を低減させる（Ｓ８８０，Ｓ８９０）。
【００８７】
このように構成されたアルコール検知システムでは、アルコール検知器３が出力したアルコール濃度に応じた濃度信号をスマートフォン２へ有線で入力させることができると共に、スマートフォン２によりアルコール濃度に関する情報を管理装置４へ無線送信することができる。このため、管理装置４から遠く離れた遠隔地にいる運送業務従事者が酒気帯び状態であるか否かを、管理装置４側で判断することができる。
【００８８】
そして、アルコール検知システムにおいては、画像Ｇ０７，Ｇ０８，Ｇ１１が表示されてから、検査処理が再実行されない状態が予め設定された通電終了判定値に相当する時間以上継続したときに、アルコール検知器３の電力消費を低減させる。
【００８９】
これにより、被験者が検査処理の再実行を指示するまでアルコール検知システムが待機しているために検査処理が行われていない状態が長時間継続している場合において、アルコール検知器３の電力消費を抑制することができる。なお、アルコール検知器３の電力消費を抑制することにより、スマートフォン２の電力が無駄に消費されるのを抑制することもできる。また、検査処理が再実行されない状態が通電終了判定値に相当する時間以上継続する前に検査処理を再実行する場合には、電力消費の低減が実行されない。このため、検査処理を再開するときに、アルコール検知器３の電力消費が低減された状態から、電力消費が低減される前の状態に復帰させるための処理が不要となり、検査処理を再実行するまでの時間を必要最小限に抑制することができる。
【００９０】
また、アルコール検知システムにおいて、アルコール検知器３は、その内部に呼気を導入することにより、濃度信号を出力するように構成される。またスマートフォン２は、スマートフォン２の現在位置を示す位置情報をアルコール濃度に関する情報に付加して管理装置４へ無線送信するように構成される。
【００９１】
そしてアルコール検知システムは、第１表示条件として、アルコール検知器３に対して被験者の呼気が適切に導入されないために、アルコール検知器３がアルコール濃度を測定することができない場合に（Ｓ３３０：ＮＯ，Ｓ３４０：ＹＥＳ）、やり直し画像Ｇ０７を表示する（Ｓ３５０）。またアルコール検知システムは、第２表示条件として、スマートフォン２が、管理装置４へアルコール濃度に関する情報を無線送信するときに位置情報を取得できない場合に（Ｓ５４０：ＮＯ）、位置情報エラー画像Ｇ０８を表示する（Ｓ５５０）。またアルコール検知システムは、第３表示条件として、アルコール濃度に関する情報の管理装置４への無線送信が失敗した場合に（Ｓ６２０：ＮＯ）、送信失敗画像Ｇ１１を表示する（Ｓ６３０）。
【００９２】
これにより、アルコール検知システムでは、上記の第１表示条件、第２表示条件および第３表示条件が成立することでそれぞれやり直し画像Ｇ０７、位置情報エラー画像Ｇ０８および送信失敗画像Ｇ１１が表示され、被験者が検査処理の再実行を指示するまでアルコール検知システムを待機させることができる。そして、アルコール検知システムでは、やり直し画像Ｇ０７、位置情報エラー画像Ｇ０８および送信失敗画像Ｇ１１が表示されてアルコール検知システムが待機しているために検査処理が行われていない状態が長時間継続している場合において、アルコール検知器３の電力消費を低減させることで、アルコール検知器３の電力消費を抑制することができる。
【００９３】
また管理システム１は、アルコール検知システムと、管理装置４を更に備え、管理装置４にて、少なくとも運転業務従事者の呼気に含まれるアルコール濃度に関する情報を管理する。これにより、複数のスマートフォン２から無線送信されるアルコール濃度に関する情報を管理装置４で取得することができ、それぞれ異なる遠隔地にいる複数の運送業務従事者が酒気帯び状態であるか否かを管理装置４で一元管理することができる。
【００９４】
以上説明した実施形態において、管理システム１は本発明における管理システム、スマートフォン２は本発明における通信機、管理装置４は本発明における管理センタ、スマートフォン２及びアルコール検知器３がアルコール検知システム、Ｓ８８０，Ｓ８９０の処理は本発明における低減手段である。
【００９５】
以上、本発明の一実施形態について説明したが、本発明は上記実施形態に限定されるものではなく、本発明の技術的範囲に属する限り種々の形態を採ることができる。
例えば上記実施形態では、スマートフォン２とアルコール検知器３とが有線で通信可能に接続されるものを示したが、スマートフォン２とアルコール検知器３とが無線で通信可能に接続されるようにしてもよい。
【００９６】
また、上記実施形態では、通信機として、スマートフォン２を用いていたが、携帯電話の通信網を介して音声通話およびデータ通信を行う機能を有する携帯電話端末や、さらには、無線通信機能を用いて通信可能な通信機（例えば、タブレット端末）であってもよい。
【００９７】
また、上記実施形態では、アルコール検知素子３１が検出した出力信号を基に、アルコール検知器３に設けた制御部３４にてアルコール濃度を算出しているが、アルコール検知素子３１が検出した出力信号を、入出力部３３を介してスマートフォン２に出力し、スマートフォン２の制御部２９にてアルコール濃度を算出してもよい。
【００９８】
また、上記実施形態では、スマートフォン２よりアルコール濃度を管理装置４に無線送信していたが、アルコール濃度に基づいて被験者が飲酒したか否かを示す判定情報や、複数設定されたアルコール濃度範囲レベルのいずれのレベルに属するかの情報などをスマートフォン２より管理装置４に無線送信してもよい。
【００９９】
また、上記実施形態では、アルコール検知素子３１とヒータ３２への通電を終了することによりアルコール検知器３の電力消費を低減させるものを示した。しかし、アルコール検知素子３１とヒータ３２への通電量を少なくすることによりアルコール検知器３の電力消費を低減させるようにしてもよい。
【符号の説明】
【０１００】
１…管理システム、２…スマートフォン、３…アルコール検知器、４…管理装置、２１…表示部、２２…操作入力部、２３…位置検出部、２４…撮影部、２５…通信部、２６…音声出力部、２７…振動発生部、２８…入出力部、２９…制御部、３１…アルコール検知素子、３２…ヒータ、３３…入出力部、３４…制御部、４１…表示部、４２…操作入力部、４３…データ記憶部、４４…通信部、４５…制御部
【図１】
2015216589.tif 000003
【図２】
2015216589.tif 000004
【図３】
2015216589.tif 000005
【図４】
2015216589.tif 000006
【図５】
2015216589.tif 000007
【図６】
2015216589.tif 000008
【図７】
2015216589.tif 000009
【図８】
2015216589.tif 000010
【図９】
2015216589.tif 000011
【図１０】
2015216589.tif 000012
【図１１】
2015216589.tif 000013
【図１２】
2015216589.tif 000014